(57)【特許請求の範囲】
【請求項１】
先端に読取口の設けられたヘッド部がケース本体部に対して湾曲して形成されたケースを備え、照射光を前記読取口を介して前記ケースの内部から前記ケースの外部にある読み取り対象に照射し、前記読み取り対象から反射された光を受光して読み取り対象の画像データを読み取る光学情報読取装置において、
前記ケース本体部から前記ヘッド部へ湾曲する部分に配置され、且つ光軸が前記ケース本体部の中心軸と略平行に設定されることによって、前記ケースの前方に存在する他の装置に対して、前記読み取った画像データを光通信により送信する通信用発光手段と、
前記通信用発光手段から発せられた光線の内、前記光軸を基準として前記読取口とは反対側の領域への光線を反射させることによって、前記光軸を基準として前記読取口側の領域における送信可能領域を拡大させる送信用反射面と、
前記通信用発光手段と並設され、前記ケース本体部の中心軸と略平行に設定されることによって、前記他の装置から光通信によって送信されてきたデータを受信する通信用受光手段と、
前記他の装置から発せられた光線の内、前記光軸を基準として前記読取口とは反対側の領域へ進む光線を反射させることによって、前記光軸を基準として前記読取口側の領域における他の装置からの受信可能領域を拡大させる受信用反射面と、を備え、
前記通信用発光手段及び前記通信用受光手段は基板上に載置されていると共に、前記送信用反射面及び前記受信用反射面は、前記基板を延設したその表面に形成されていることを特徴とする光学情報読取装置。
【請求項２】
前記送信用反射面及び前記受信用反射面は、シルク印刷または金メッキによって鏡面に形成されていることを特徴とする請求項１記載の光学情報読取装置。
【請求項３】
前記送信用反射面及び前記受信用反射面は、入射光を拡散反射する拡散面に形成されていることを特徴とする請求項１記載の光学情報読取装置。
【発明の詳細な説明】
【０００１】
【発明の属する技術分野】
本発明は、照射光を読取口を介してケースの内部からケースの外部にある読み取り対象に照射し、読み取り対象からの反射光を受光して読み取り対象の画像データを読み取る光学情報読取装置に関し、特に、読み取った画像データを光通信により他の装置へ送信可能な光学情報読取装置に関する。
【０００２】
【従来の技術】
従来、例えばバーコードラベルなどの読み取り対象に光を照射し、バーコードラベルからの反射光を受光してバーコードラベルの画像データであるバーコードデータを読み取る装置（バーコードリーダ）が知られている。このバーコードリーダでは、先端に読取口の設けられたヘッド部がケース本体部に対して湾曲して形成されたケースを備えていることが多い。これは、主に利用者の操作性向上のためであり、照射光を読取口を介してケース内部からケース外部にある読み取り対象に照射する場合、その照射光を読み取り対象に適切に照射しているかどうかを利用者が判断し易くするためである。
【０００３】
さらに、バーコードラベルから読み取ったバーコードデータを、光通信でホスト装置側へ送信するようにしたコードレスのバーコードリーダ（バーコードハンディターミナル）が知られている。そして、この光通信用の発光手段は、例えば、上述したケース本体部からヘッド部へ湾曲する部分に配置され、且つ光軸がケース本体部の中心軸と略平行に設定されることによって、ケースの前方に存在するホスト装置などに対してデータ送信できるようにされている。したがって、ホスト装置へのデータ送信を行なう場合、ケース本体部の方向を送信対象となるホスト装置の受光手段に向けるという動作を利用者が行なう。
【０００４】
【発明が解決しようとする課題】
しかしながら、このように常に利用者自身がバーコードハンディターミナルを持って発光手段の方向を受光手段にて受光できるよう調整しなくてはならないのは、利便性の点で好ましくない。特に、例えば机などの上においてバーコードの読取作業を行なっており、同じ机上にホスト装置もある場合には、発光手段の光軸の左右方向を適切な向きにしてバーコードハンディターミナルを机上に載置すれば利用者自身が持たなくても送信できるようにすることが好ましいが、次の理由で実現できない。
【０００５】
つまり、上述したように、利用者の操作性向上のためなどの理由で、先端に読取口の設けられたヘッド部がケース本体部に対して湾曲して形成されており、机上に載置すると、ヘッド部の先端とケース本体部の後端が机上に当接し、ケース本体部は机上面に対して斜めになる。すると、発光手段の光軸はケース本体部の中心軸と略平行に設定されているため、机上に載置された状態では、発光手段からの光は机上面に対して斜め上方に向かって発せられることとなる。そのため、同じ机上にホスト装置が載置されている場合、通常そのホスト装置の下部に設けられた受光手段では受光できない領域にしか光送信されず、両者の通信ができない状況となる。
【０００６】
したがって、ケース本体部の中心軸と略平行に設定された発光手段の光軸が、バーコードハンディターミナルを机上に載置することで机上面に対して斜め上方になった場合であっても、同じ机上に載置されたホスト装置の下部に設けられた受光手段に対して送信できるようにすることが、利便性向上の点で非常に有効である。
【０００７】
なお、バーコードハンディターミナルを例に取って説明したが、読取対象はバーコードに限らず、例えば２次元コードであっても同様である。読み取ったデータをホスト装置に対して送信する際の利便向上を図るのが主眼だからである。
そこで本発明は、発光手段の光軸を基準として読取口側の領域における送信可能領域を拡大させることによって、利便性の向上を実現した光学情報読取装置を提供することを目的とするものである。
【０００８】
【課題を解決するための手段及び発明の効果】
上記課題を解決するためになされた本発明は、先端に読取口の設けられたヘッド部がケース本体部に対して湾曲して形成されたケースを備え、照射光を前記読取口を介して前記ケースの内部から前記ケースの外部にある読み取り対象に照射し、前記読み取り対象から反射された光を受光して読み取り対象の画像データを読み取る光学情報読取装置において、前記ケース本体部から前記ヘッド部へ湾曲する部分に配置され、且つ光軸が前記ケース本体部の中心軸と略平行に設定されることによって、前記ケースの前方に存在する他の装置に対して、前記読み取った画像データを光通信により送信する通信用発光手段と、前記通信用発光手段から発せられた光線の内、前記光軸を基準として前記読取口とは反対側の領域への光線を反射させることによって、前記光軸を基準として前記読取口側の領域における送信可能領域を拡大させる送信用反射面と、前記通信用発光手段と並設され、前記ケース本体部の中心軸と略平行に設定されることによって、前記他の装置から光通信によって送信されてきたデータを受信する通信用受光手段と、前記他の装置から発せられた光線の内、前記光軸を基準として前記読取口とは反対側の領域へ進む光線を反射させることによって、前記光軸を基準として前記読取口側の領域における他の装置からの受信可能領域を拡大させる受信用反射面と、を備え、前記通信用発光手段及び前記通信用受光手段は基板上に載置されていると共に、前記送信用反射面及び前記受信用反射面は、前記基板を延設したその表面に形成されていることを特徴とする。
【０００９】
本発明の光学情報読取装置は、先端に読取口の設けられたヘッド部がケース本体部に対して湾曲して形成されたケースを備えており、照射光を読取口を介してケースの内部からケースの外部にある読み取り対象に照射し、読み取り対象から反射された光を受光して読み取り対象の画像データを読み取る。このように、ヘッド部がケース本体部に対して湾曲して形成されているため、照射光を読取口を介してケース内部からケース外部にある読み取り対象に照射する場合、その照射光を読み取り対象に適切に照射しているかどうかを利用者が判断し易く、使い勝手がよい。
【００１０】
そして、そのケース本体部からヘッド部へ湾曲する部分に配置された通信用発光手段は、光軸がケース本体部の中心軸と略平行に設定されている。そのため、ケースの前方に存在する他の装置に対して、例えば読み取った画像データなどを光通信により送信することができる。したがって、例えば利用者がケース本体部を把持して通信用発光手段の光軸方向を他の装置の受光手段に向ければ、本光学情報読取装置が読み取った画像データを、光通信により他の装置に送信することができる。
【００１１】
ところで、ヘッド部がケース本体部に対して湾曲して形成されているため、上述したように読取操作を行わせる場合の使い勝手の向上は期待できるが、例えば机上に載置するとヘッド部の先端とケース本体部の後端が机上に当接し、ケース本体部は机上面に対して斜めになる。すると、発光手段の光軸はケース本体部の中心軸と略平行に設定されているため、机上に載置された状態では、発光手段からの光は机上面に対して斜め上方に向かって発せられることとなる。そのため、例えば同じ机上にホスト装置が載置されており、そのホスト装置の下部に受光手段が設けられている場合を想定すると、なんら対処を施さないと、受光手段では受光できない領域にしか光送信されず、両者の通信ができない状況となる。
【００１２】
そこで、このような状況においても適切な通信ができるようにするため、本発明の光学情報読取装置では送信用反射面を設けたのである。この送信用反射面は、通信用発光手段から発せられた光線の内、光軸を基準として読取口とは反対側の領域への光線を反射させる。これによって、光軸を基準として読取口側の領域における送信可能領域を拡大させることができる。したがって、例えば、上述した机上に載置した場合に同じ机上に載置されたホスト装置の下部に設けられた受光手段に対しても送信でき、わざわざ利用者が光学情報読取装置を持ってその方向を調整しながら送信させる必要がなくなるため、利便性が向上する。
【００１３】
なお、光軸を基準として読取口側の領域における送信可能領域を拡大させることができるのは、次の理由からである。つまり、通信用発光手段から発せられた光線の指向性などの要因で、光軸方向に進む光線の光量は大きいため問題なく送信可能レベルとなるが、光軸を基準として周囲に行くにつれて光量は小さくなっていき送信可能レベルに達しない。そのため、送信用反射面にて反射した光を送信可能レベルに達していない領域に到達させることで、送信可能なレベルにまで引き上げるのである。
【００１８】
また、本発明装置は、通信用発光手段を用いたデータ送信に加えて、他の装置からのデータを受信できるようにされている。
【００１９】
通信用受光手段は、ケース本体部からヘッド部へ湾曲する部分に配置され、光軸がケース本体部の中心軸と略平行に設定されている。そのため、ケースの前方に存在する他の装置から光通信によって送信されてきたデータを受信することができる。したがって、例えば利用者がケース本体部を把持して通信用受光手段の光軸方向を他の装置の発光方向に向ければ、例えば他の装置からの制御データなどを、光通信により受信することができる。
【００２０】
そして、通信用受光手段の光軸がケース本体部の中心軸と略平行に設定されているため、この場合も、上述した送信の場合と同様、光学情報読取装置が机上に載置された状態では、受光手段からの光軸が机上面に対して斜め上方に向くこととなり、例えば同じ机上にホスト装置が載置されており、そのホスト装置の下部に発光手段が設けられている場合を想定すると、なんら対処を施さないと、その発光手段から発せられた光を受光できなくなる。
【００２１】
そこで、このような状況においても適切な通信ができるようにするため、受信反射面を設けたのである。この受信用反射面は、他の装置から発せられた光線の内、光軸を基準として読取口とは反対側の領域へ進む光線を反射させる。これによって、光軸を基準として読取口側の領域における他の装置からの受信可能領域を拡大させることができるのである。したがって、例えば、上述した机上に載置した場合に同じ机上に載置されたホスト装置の下部に設けられた発光手段から送信されたデータを受信することができ、わざわざ利用者が光学情報読取装置を持ってその方向を調整しながら受信できる方向を向かせる必要がなくなるため、利便性が向上する。
【００２２】
このように、本光学情報読取装置の場合には、例えばホスト装置に読み取った画像データを送信したり、あるいはそのホスト装置からの制御データを受信したりすることができ、さらに、上述した机上に載置した場合に、同じ机上に載置されているホスト装置との送受信時には、わざわざ利用者が光学情報読取装置を持ってその方向を調整する必要がなくなり、非常に利便性が向上する。
【００２３】
また、通信用発光手段及び通信用受光手段を基板上に載置し、その基板を延設したその表面に、送信用反射面及び受信用反射面を形成してあるため、構成の簡略化の点で好ましい。
なお、送信用反射面は、シルク印刷または金メッキによって鏡面に形成してもよいし、あるいは、入射光を拡散反射する拡散面に形成してもよい。鏡面に形成した場合と、拡散面に形成した場合とでは、光軸を基準として読取口側の領域における送信可能領域を拡大させる場合の作用が多少異なるのでその点を説明しておく。
鏡面に形成した場合には、光軸を基準として読取口とは反対側の領域へ発せられた光線が入射角に対応する角度で反射し、その反射光が、光軸を基準として読取口側の領域において送信可能レベルに達していない領域に到達することで、その領域も送信可能なレベルに引き上げられる。つまり、送信用反射面での反射光の全てが関係しているのではなく、反射光の内、送信用反射面で反射されて読取口側で送信可能レベルに達していない領域に到達するもののみ、言い換えればそのような反射をする入射角を持つ光線のみによる作用である。
一方、拡散面に形成した場合には、入射光を拡散反射するため、送信用反射面への入射角によっては決まらない。つまり、上述の鏡面の場合には、ある範囲の入射角を持つ光だけの作用ということができるが、拡散面の場合には、様々な入射角で送信用反射面に反射されても、読取口側で送信可能レベルに達していない領域に到達することがある。したがって、拡散反射によって、そのような送信可能レベルに達していない領域に到達した反射光による作用であり、特に送信用反射面への入射角による限定はできない。
【００２４】
【発明の実施の形態】
以下に、本発明の好適な実施例を図面に基づいて説明する。尚、本発明の実施の形態は、下記の実施例に何ら限定されるものではなく、本発明の技術的範囲に属する限り種々の形態を採り得ることはいうまでもない。
【００２５】
図１は、実施例としての２次元コード読取装置４の概略構成図であり、（ａ）は上面図、（ｂ）は一部破断側面図、（ｃ）は底面図である。また、図２は赤外光発光素子５０及び光学モジュール４０の配置を示す概略断面図、図３は２次元コード読取装置４の制御系統のブロック図である。
【００２６】
本２次元コード読取装置４は携帯用であり、上ケース１１ａと下ケース１１ｂからなるケース１２内に各種部品を組み込んだものであり、外観上、図１に示すように、装置後方部にケース本体部１２ａ、装置前方部にケースヘッド部１２ｂを備え、ケースヘッド部１２ｂはケース本体部１２ａに対して下方に湾曲するように一体形成されている。なお、本実施例では、ケースヘッド部１２ｂの中心軸はケース本体部１２ａの中心軸に対して約７０度下方に傾いている。
【００２７】
前記ケース本体部１２ａは操作者が手で握るための把持部としても機能し、その上面には、情報を入力するためのキーボードＫＢ、読み込んだ２次元コードなどを表示するための液晶ディスプレイ２０、２次元コードを読み込んだことを確認するための読取確認ＬＥＤ２１が設けられている。そして、ケース本体部１２ａからケースヘッド部１２ｂへ湾曲する部分には、赤外光を通過させるための通信プレート２２が設けられており、ケースヘッド部１２ｂの先端には読取口２５が設けられている。
【００２８】
なお、上ケース１１ａと下ケース１１ｂは樹脂成形加工によって作られたものであり、ケースヘッド部１２ｂの先端部分には、それら上ケース１１ａと下ケース１１ｂに外嵌し、上下ケース１１ａ，１１ｂが離反することを防止する環状の口開き防止用ホルダ１３が取り付けられている。そして、さらに口開き防止用ホルダ１３を外嵌するように、環状のゴム部材１４が取り付けられている。
【００２９】
また、ケース本体部１２ａの側面であって、液晶ディスプレイ２０が設けられている両脇部分には、ケース本体部１２ａの側面よりも突出して落下時の衝撃を吸収するための耐落下用ゴム部材１５が、上ケース１１ａと下ケース１１ｂによって挟み込まれて固定されている。なお、ケース本体部１２ａの側面であって、キーボードＫＢが設けられている脇の部分には、トリガスイッチボタン１７が配置されている。
【００３０】
一方、ケース本体部１２ａの内部には、上述したキーボードＫＢ、液晶ディスプレイ２０、読取確認ＬＥＤ２１に加えて、データ処理部２７、画像メモリ２８や電源部３０などが配置されている。電源部３０は、図示しない電池が電源として収納されている。また、ケースヘッド部１２ｂの内部には、上述した通信プレート２２に面して通信モジュール３５が配置されると共に、ケースヘッド部１２ｂのほぼ中心に光学モジュール４０が配置されている。
【００３１】
光学モジュール４０は、図２に示すように、ＣＣＤエリアセンサ４１、鏡筒４３、照明用赤色発光ダイオード４５、塵の侵入を防ぐ防塵プレート４７、照射範囲制限部材４９などを備えている。なお、図２において二点鎖線で示したケースヘッド部１２ｂの外形は、光学モジュール４０のケースヘッド部１２ｂ内における概略的な位置を示すためのものである。なお、これらの概略的な位置関係は、ケースヘッド部１２ｂ先端の読取口２５から最も遠い位置にＣＣＤエリアセンサ４１が配置され、読取口２５に向けて、鏡筒４３、防塵プレート４７、照射範囲制限部材４９の順番で配置されている。また、照明用赤色発光ダイオード４５は鏡筒４３の周囲に配置されている。
【００３２】
前記鏡筒４３は略円筒状に形成されており、その内部には結像レンズや絞りなどの結像光学系を収納している。そして、ケースヘッド部１２ｂ先端の読取口２５から取り込んだ読み取り対象からの反射光を入射側開口４３ａより入射させ、内部の結像用光学系を通過した反射光を出射側開口４３ｂよりＣＣＤエリアセンサ４１に出射させる。
【００３３】
このＣＣＤエリアセンサ４１は、センサ基板４２に取り付けられ、鏡筒４３内の結像光学系による結像位置に配置されている。そして、２次元的に配列された複数の受光素子であるＣＣＤを有しており、読み取り対象の像を光電変換して像のパターンを表す電気信号としてデータ処理部２７へ出力する。
【００３４】
また、照明用赤色発光ダイオード４５は、上述したように鏡筒４３の周囲に配置されているが、本実施例においては、略円筒状の鏡筒４３の周囲に約９０度間隔で４つの照明用赤色発光ダイオード４５が配置されている。具体的には、照明用赤色発光ダイオード４５は、ＬＥＤ基板４４に取り付けられ、ＬＥＤホルダ４６によって保持されている。なお、図２においては４つの照明用赤色発光ダイオード４５の内の２つだけを示している。
【００３５】
そして、防塵プレート４７は、これら鏡筒４３及び照明用赤色発光ダイオード４５よりも読取口２５側に設けられているため、塵が読取口２５から鏡筒４３及び照明用赤色発光ダイオード４５側へ侵入してくるのを防止することができる。また、防塵プレート４７は、少なくとも照明用赤色発光ダイオード４５から照射される読み取り光（照射光）としての赤色光は通過可能である。
【００３６】
このように、防塵プレート４７は、照明用赤色発光ダイオード４５からの照射光を通過させるのであるが、照射光の一部はこの防塵プレート４７にて反射するため、この防塵プレート４７での反射光が結像光学系に入射してしまうと、この入射光は読み取り対象からの反射光以外の光となってしまい、光学情報の読み取りの観点からは光学的なノイズとなる。本実施例においては、この光学的ノイズの発生を防止するため、鏡筒４３の入射側開口４３ａを防塵プレート４７に近づけることによって、防塵プレート４７での反射光が鏡筒４３内に入射しないようにしている。
【００３７】
また、防塵プレート４７と読取口２５との間に配置されることとなる照射範囲制限部材４９は、筒状に形成された部材であり、その筒状部材の読取口２５側の開口４９ａによって、照明用赤色発光ダイオード４５からの照射光の照射範囲を制限することができる。詳しくは、照射範囲制限部材４９の内壁４９ｂは、照明用赤色発光ダイオード４５からの照射光が反射しても鏡筒４３内に入射しないような角度に設定されており、さらに前記読取口２５側の開口４９ａは、その開口４９ａによって制限された照射光の照射範囲が、ＣＣＤエリアセンサ４１にて読み取り可能な最大の画像範囲と同じかあるいは所定量だけ大きな範囲となるようなサイズに設定されている。
【００３８】
前記データ処理部２７は、図示しない発光駆動回路により照明用赤色発光ダイオード４５を発光させ照射光を読み取り対象に照射させる。そして、読み取り対象からの反射光に基づくＣＣＤエリアセンサ４１からの受光信号を増幅及び２値化した後、そのデータをデコード（解読）して、読み取り対象が表している情報を得て、その情報を画像メモリ２８に一旦記憶する。次に、この画像メモリ２８内に記憶された情報を、通信モジュール３５を介して外部装置へ送信する。
【００３９】
この通信モジュール３５は、周知のＩｒＤＡ（Ｉｎｆｒａｒｅｄ  Ｄａｔａ  Ａｓｓｏｃｉａｔｉｏｎ  ）規格に準じた方法により図示しない外部装置との間で通信を行うものであり、図３に示すように、「通信用発光手段」としての赤外光発光素子５０、「通信用受光手段」としての赤外光受光素子５１、そしてこれら赤外光発光素子５０及び赤外光受光素子５１を介して外部装置との間での光通信をするための光通信入出力回路６０を備えている。上述したように、画像メモリ２８に記憶された２次元コードデータは、光通信入出力回路６０を介して赤外光発光素子５０により外部装置に送信される。また、外部装置からの信号（例えばシステムを動かすためのプログラムや送信を待機する命令等）は赤外光受光素子５１によって受信され、光通信入出力回路６０を介してデータ処理部２７へ出力される。
【００４０】
ところで、ケース本体部１２ａからケースヘッド部１２ｂへ湾曲する部分に通信プレート２２が設けられており、その通信プレート２２に面して通信モジュール３５が配置されていると説明したが、赤外光発光素子５０及び赤外光受光素子５１の詳しい配置について説明する。図２に示すように、ケース本体部１２ａに略平行に基板３８が配設されており、その基板３８の先端付近に赤外光発光素子５０及び赤外光受光素子５１が配置されている。なお、図２には赤外光発光素子５０のみ示しているが、この図２においては赤外光発光素子５０の奥側に赤外光受光素子５１が配置されていることとなり、これら赤外光発光素子５０及び赤外光受光素子５１を読取口２５（図２参照）側から見た図である図４（ａ）を参照すると、赤外光受光素子５１の配置も判る。つまり、本実施例においては、赤外光発光素子５０及び赤外光受光素子５１は基板３８の先端付近、詳しくはケース本体部１２ａからヘッド部１２ｂへ湾曲する部分であって、基板３８上の読取口２５側に配置されている。そして、図２に示すように、赤外光発光素子５０及び赤外光受光素子５１の前方には通信プレート２２が配置されるため、この通信プレート２２から外部へ光信号を発信したり、外部からの光信号を受信したりすることができるようにされている。
【００４１】
さらに、図４（ａ）に示すように、赤外光発光素子５０の光軸Ｃａ及び赤外光受光素子５１の光軸Ｃｂは、ケース本体部１２ａの中心軸Ｃｓに略平行に設定されており、これらの２つの素子５０，５１は、２次元コード読取装置４の短辺方向、つまり読取口２５の幅方向に横並びで配置されている。そして、基板３８は、これら赤外光発光素子５０及び赤外光受光素子５１よりも、その光軸Ｃａ，Ｃｂ方向に長くされており、その延設された部分であって赤外光発光素子５０及び赤外光受光素子５１側には、「送信用反射面」及び「受信用反射面」に相当する反射面３９が設けられている。本実施例においては、この反射面３９はシルク印刷または金メッキによって鏡面に形成されている。
【００４２】
また、この反射面３９は、次の点を考慮して設けられている。
まず、図４（ｂ）に示すように、赤外光発光素子５０の光軸Ｃａよりも下方（つまり読取口２５側）において赤外光発光素子５０から発せられた光線によって送信が可能な領域は、反射面３９がない場合を想定すると、赤外光発光素子５０の光軸Ｃａを中心とした所定角度θの円錐状の領域Ａ１である。これは、赤外光発光素子５０から発せられた光線の指向性などの要因で、光軸Ｃａ方向に進む光線の光量は大きいため問題なく送信可能レベルとなるが、光軸Ｃａを基準として周囲に行くにつれて光量は小さくなっていきある境界にて送信可能レベルに達しないためである。そのため、反射面３９にて反射した光をこの送信可能レベルに達していない領域にまで到達させることによって送信可能なレベルにまで引き上げる。このように、反射光が送信可能レベルに達していない領域に到達するように反射面３９の長さや角度を設定する。その結果、赤外光発光素子５０の光軸Ｃａを中心とした所定角度θの円錐状の領域Ａ１よりもさらに下方（つまり読取口２５側）も含めた拡大領域Ａ２において送信可能レベルとすることができる。
【００４３】
一方、赤外光受光素子５１によって受信する際に対しても同様の考慮をしている。つまり、図４（ｂ）にて説明した赤外光発光素子５０の光軸Ｃａを中心とした所定角度θの円錐状の領域Ａ１内から送信されてきた場合には、反射面３９がなくても赤外光受光素子５１によって直接受光できるが、ある境界より外側の送信可能レベルに達しない領域から送信されてきた場合には受信できない。したがって、この送信可能レベルに達していない領域から送信されてきた光線を反射面３９にて反射させてから赤外光受光素子５１に受光されることによって、赤外光受光素子５１が直接受光した光線に重畳させることで、受信可能レベルの信号として受け付けるようにする。その結果、赤外光発光素子５０の光軸Ｃａを中心とした所定角度θの円錐状の領域Ａ１よりもさらに下方（つまり読取口２５側）も含めた拡大領域Ａ２に送信源がある場合も受信可能とすることができる。
【００４４】
本実施例の２次元コード読取装置４は、上述したごとく、赤外光発光素子５０及び赤外光受光素子５１の光軸Ｃａ及びＣｂを基準として読取口２５側の領域における送信可能領域及び受信可能領域を拡大させることができる。したがって、例えば、次のような状況において利便性が向上する。
【００４５】
図５に示すように、外部装置６が机１００上に載置されている場合を想定する。この際、２次元コード読取装置４も机１００上に載置すると、ヘッド部１２ｂの先端とケース本体部１２ａの後端が机１００上に当接し、ケース本体部１２ａは机上面に対して斜めになる。すると、赤外光発光素子５０の光軸Ｃａも同じく机上面に対して斜めになり、赤外光発光素子５０からの光は机上面に対して斜め上方に向かって発せられることとなる。そのため、何も対処しないと、送信可能領域はＡ１で示す領域となって、同じ机１００上に外部装置６が載置されていても、その下部に設けられた送受信部１０に対して送信ができなくなる。しかし、本実施例の２次元コード読取装置４では、赤外光発光素子５０の光軸Ｃａを基準として読取口２５側の領域における送信可能領域がＡ２で示す領域に拡大することとなるので、このように２次元コード読取装置４を机１００上に載置した状態で、読み取った２次元コードデータなどを外部装置６に送信することができる。そのため、わざわざ利用者が２次元コード読取装置４を持ってその方向を調整しながら送信させる必要がなくなり、利便性が向上する。
【００４６】
一方、外部装置６からのデータを受信する場合も同様であり、赤外光受光素子５１の光軸Ｃｂを基準として読取口２５側の領域における受信可能領域が拡大することとなるので、このように２次元コード読取装置４を机１００上に載置した状態で、外部装置６からの制御データなどを受信することができる。そのため、わざわざ利用者が２次元コード読取装置４を持ってその方向を調整しながら受信させる必要がなくなり、利便性が向上する。
【００４７】
なお、本実施例の場合は、赤外光発光素子５０及び赤外光受光素子５１が基板３８上に載置されており、その基板３８を延設したその表面に反射面３９が形成されているため、構成の簡略化の点で好ましい。
［その他］
上記実施例では、赤外光発光素子５０及び赤外光受光素子５１が載置された基板３８を延設したその表面に反射面３９が形成されていたが、もちろん、基板３８とは別個に部材を設け、その表面に反射面３９を形成してもよい。
【００４８】
また、上記実施例では、図４（ｂ）に示すように、基板３８に形成された反射面３９は赤外光発光素子５０の光軸Ｃａと略平行であったが、図４（ｃ）に示すように、赤外光発光素子５０よりも長く延設されている基板３８の先端部分を赤外光発光素子５０側に屈曲させ、そこに反射面３９を形成してもよい。このようにすれば、赤外光発光素子５０からの光線の内、光軸Ｃａにより近い領域、つまり光量レベルがより大きな光線が反射することとなる。
【００４９】
また、上記実施例では、反射面３９を鏡面として形成したが、入射光を拡散反射する拡散面に形成してもよい。
なお、上記実施例では、外部装置６との間でデータの送受信を行なう２次元コード読取装置４を前提として説明したが、外部装置６に対してデータの送信のみを行なうような構成にすることもできる。
【００５０】
また、上記実施例では２次元コード用のリーダとして説明したが、例えばバーコードなどの１次元コード用のリーダとしても同様に適用でき、同様の効果を生じる。
【図面の簡単な説明】
【図１】実施例としての２次元コード読取装置の概略構成図であり、（ａ）は上面図、（ｂ）は一部破断側面図、（ｃ）は底面図である。
【図２】実施例の赤外光発光素子及び光学モジュールの配置を示す概略断面図である。
【図３】実施例の２次元コード読取装置の制御系統のブロック図である。
【図４】赤外光発光素子及び赤外光受光素子の配置、反射面による作用を示す説明図である。
【図５】机上に載置された外部装置に同じく机上に載置された２次元コード読取装置から送信する場合の作用を示す説明図である。
【符号の説明】
４…２次元コード読取装置        １１ａ…上ケース
１１ｂ…下ケース                      １２…ケース
１２ａ…ケース本体部                １２ｂ…ヘッド部
１３…口開き防止用ホルダ            １４…ゴム部材
１５…耐落下用ゴム部材              １７…トリガスイッチボタン
２０…液晶ディスプレイ              ２１…読取確認ＬＥＤ
２２…通信プレート                  ２５…読取口
２７…データ処理部                  ２８…画像メモリ
３０…電源部                        ３５…通信モジュール
３８…基板                          ３９…反射面
４０…光学モジュール                ４１…ＣＣＤエリアセンサ
４２…センサ基板                    ４３…鏡筒
４３…防塵プレート                ４３ａ…入射側開口
４３ｂ…出射側開口                    ４４…ＬＥＤ基板
４５…照明用赤色発光ダイオード      ４６…ＬＥＤホルダ
４７…防塵プレート                ４７ａ…透明面
４７ｂ…拡散面                        ４９…照射範囲制限部材
４９ａ…開口                        ４９ｂ…内壁
５０…赤外光発光素子                ５１…赤外光受光素子
６０…光通信入出力回路
【図１】
0003580684.tif 000002
【図２】
0003580684.tif 000003
【図３】
0003580684.tif 000004
【図４】
0003580684.tif 000005
【図５】
0003580684.tif 000006